(57)【要約】【課題】本発明は、光記録媒体の構成を簡易にし得る。【解決手段】光記録媒体１００の記録層１０１は、一様でなる層内に立体的な記録マークＲＭが形成されることにより情報が記録されており、一面に面方向の位置を特定するためのサーボ用の凹凸である位置決め用凹凸が形成されている。隣接層としての基板１０２は、記録層１０１における位置決め用凹凸に隣接して設けられており、サーボ用に用いられるサーボ光ビームＬＳの波長に対する記録層１０１との屈折率差Δｎが０．０４以上である。【選択図】図１
2011014199.tif 000002
【特許請求の範囲】
【請求項１】
一様でなる層内に立体的な記録マークが形成されることにより情報が記録され、一面に面方向の位置を特定するためのサーボ用の凹凸が形成されている記録層と、
上記記録層における上記凹凸に隣接して設けられ、サーボ用に用いられるサーボ光ビームの波長に対する上記記録層との屈折率差が０．０４以上であり、上記凹凸を埋めるように形成された隣接層と
を有する光記録媒体。
【請求項２】
上記記録層の屈折率をｎｒ、上記隣接層の屈折率をｎｐとするとき、（１）式によって示される上記記録層及び上記隣接層の界面における、情報の再生用に用いられる読出光ビームの界面反射率Ｒが、０．０５［％］以下でなる
【数１】
2011014199.tif 000012
請求項１に記載の光記録媒体。
【請求項３】
上記読出光ビームの波長は、
上記サーボ光ビームの波長と相違し、
上記読出光ビームの波長に対する上記記録層及び上記隣接層の屈折率差は、
上記サーボ光ビームの波長に対する上記記録層及び上記隣接層の屈折率差よりも小さい
請求項２に記載の光記録媒体。
【請求項４】
上記読出光ビームの波長に対する上記記録層及び上記隣接層の屈折率差は、
０．０７以下である
請求項３に記載の光記録媒体。
【請求項５】
上記読出光ビームの波長に対する上記記録層の屈折率は、上記読出光ビームの波長に対する上記隣接層の屈折率よりも小さい
請求項４に記載の光記録媒体。
【請求項６】
上記記録層は、
樹脂材料であり、
上記隣接層は、
無機材料である
請求項５に記載の光記録媒体。
【請求項７】
上記記録層は、
空洞でなる記録マークが形成されることにより情報が記録され、
上記隣接層は、
上記読出光ビームが入射される入射側に設けられている
請求項６に記載の光記録媒体。
【請求項８】
上記読出光ビームは、
波長が４００［ｎｍ］〜４１０［ｎｍ］でなる
請求項５に記載の光記録媒体。
【請求項９】
上記サーボ光ビームは、
波長が６３０［ｎｍ］〜７８０［ｎｍ］でなる
請求項８に記載の光記録媒体。
【請求項１０】
上記記録層は、
ホログラムでなる上記記録マークが形成される
請求項６に記載の光記録媒体。
【請求項１１】
一様でなる層内に立体的な記録マークが形成されることにより情報が記録され、一面に面方向の位置を特定するためのサーボ用の凹凸が形成されている記録層と、
上記記録層における上記凹凸に隣接して設けられ、サーボ用に用いられるサーボ光ビームの波長に対する上記記録層との屈折率差が０．０４以上である基板と
を有する光記録媒体。
【発明の詳細な説明】
【技術分野】
【０００１】
本発明は光記録媒体に関し、例えば光ビームを用いて情報が記録され、また当該光ビームを用いて当該情報が再生される光記録媒体に適用して好適なものである。
【背景技術】
【０００２】
従来、光記録媒体としては、円盤状の光記録媒体が広く普及しており、一般にＣＤ（Compact Disc）、ＤＶＤ（Digital Versatile Disc）及びＢｌｕ−ｒａｙ  Ｄｉｓｃ（登録商標、以下ＢＤと呼ぶ）等が用いられている。
【０００３】
これら従来の光記録媒体には、情報を記録する記録層上にトラックの位置を示す凹凸や案内溝（以下、これらをガイドと呼ぶ）が設けられている。かかる光記録媒体に対応した光記録再生装置は、光ビームの照射位置を制御するサーボ制御（トラッキングサーボ及びフォーカスサーボ）を行う際、ガイドから反射される反射光ビームを使用する。例えば光記録再生装置は、反射光ビームからトラック中心からの光ビームのずれ量を表すトラッキングエラー信号を生成する。光記録再生装置は、このトラッキングエラー信号に基づいてピックアップを制御し、光ビームの照射位置を所望のトラック中心に合焦させるようになされている。
【０００４】
このように、光記録再生装置は、反射光ビームを用いたサーボ制御を実行するため、ある程度の光量でなる反射光ビームを得る必要がある。特に、サーボ制御の精度を向上させるには、反射光ビームの光量を増大させ、トラッキングエラー信号のＳ／Ｎ比を向上させることが望ましい。このため、従来の光記録媒体では、一般的に、情報の有無に拘らず、記録層に光ビームを反射させる反射層を設けるようになされている。
【０００５】
一方、光記録再生装置では、音楽コンテンツや映像コンテンツ等の各種コンテンツ、或いはコンピュータ用の各種データ等のような種々の情報を当該光記録媒体に記録するようになされている。特に近年では、映像の高精細化や音楽の高音質化等により情報量が増大し、また１枚の光記録媒体に記録するコンテンツ数の増加が要求されているため、当該光記録媒体のさらなる大容量化が求められている。
【０００６】
そこで、光記録媒体を大容量化する手法の一つとして、記録マークを光記録媒体の厚さ方向に複数重ねるように形成する光記録媒体が提案されている。この光記録媒体では、１層の記録層内に複数層に相当する情報を記録する。この光記録媒体は、記録層を保護するため、記録層の両面に保護層を設ける場合が多い。
【０００７】
この光記録媒体は、反射膜上、すなわちガイド上に記録マークを形成するＣＤ、ＤＶＤ及びＢＤとは異なり、記録マークを形成すべき記録マーク位置の指標となるものが存在しない。そこで、光記録媒体は、記録位置を決めるためのガイドとして、例えば記録層に隣接して誘電体膜などでなるサーボ層を設け、当該サーボ層を基準として、光記録再生装置に対し、光ビームを照射すべき目標となる目標位置を決定させるようになされたものがある。このサーボ層を設けることにより、サーボ反射光ビームの光量を増大させてサーボ制御の精度を向上させることが可能となる。
【０００８】
これにより、光記録媒体は、光記録再生装置に対し、記録マーク位置に合わせて目標位置を設定させ、当該記録マーク位置に光ビームを照射させるようになされている（例えば、特許文献１参照）。
【先行技術文献】
【特許文献】
【０００９】
【特許文献１】特開２００９−９６３５公報
【発明の概要】
【発明が解決しようとする課題】
【００１０】
かかる構成の光記録媒体は、記録層と保護層との間にサーボ層としてガイドと隣接させて誘電体膜や反射膜（以下、これらを誘電体膜等と呼ぶ）を形成しなければならず、光記録媒体としての構成が複雑になるという問題があった。
【００１１】
本発明は以上の点を考慮してなされたもので、簡易な構成の光記録媒体を提案しようとするものである。
【課題を解決するための手段】
【００１２】
かかる課題を解決するため本発明の光記録媒体においては、一様でなる層内に立体的な記録マークが形成されることにより情報が記録され、一面に面方向の位置を特定するためのサーボ用の凹凸が形成されている記録層と、上記記録層における上記凹凸に隣接して設けられ、サーボ用に用いられるサーボ光ビームの波長に対する上記記録層との屈折率差が０．０４以上であり、凹凸を埋めるように形成された隣接層とを設けるようにした。
【００１３】
これにより光記録媒体は、記録層と隣接層との屈折率差によってサーボ光ビームを反射することができるため、誘電体膜等を省略することができる。
【００１４】
かかる課題を解決するため本発明の光記録媒体においては、一様でなる層内に立体的な記録マークが形成されることにより情報が記録され、一面に面方向の位置を特定するためのサーボ用の凹凸が形成されている記録層と、上記記録層における上記凹凸に隣接して設けられ、サーボ用に用いられるサーボ光ビームの波長に対する上記記録層との屈折率差が０．０４以上である基板とを設けるようにした。
【００１５】
これにより光記録媒体は、記録層と隣接層との屈折率差によってサーボ光ビームを反射することができるため、誘電体膜等を省略することができる。
【発明の効果】
【００１６】
本発明によれば、記録層と隣接層との屈折率差によってサーボ光ビームを反射することができるため、誘電体膜等を省略することができる。かくして本発明は、簡易な構成の光記録媒体を実現できる。
【図面の簡単な説明】
【００１７】
【図１】光記録媒体の構成を示す略線図である。
【図２】基準面深さと表面深さとの関係の説明に供する略線図である。
【図３】光記録媒体の内部構成を模式的に示す略線図である。
【図４】光記録再生装置の構成を示す略線図である。
【図５】サーボ反射光ビームと戻り光ビームを示す略線図である。
【図６】光記録再生装置により得られた各サンプルのトラッキングエラー信号を示す略線図である。
【図７】第１層目のマーク層と凹凸界面との距離の説明に供する略線図である。
【発明を実施するための形態】
【００１８】
以下、図面について、本発明の一実施の形態を詳述する。
１．〜４．実施の形態  （記録層と基板との屈折率差）
５．他の実施の形態
【００１９】
＜実施の形態＞
［１．光記録媒体の構成］
図１（Ａ）〜（Ｃ）に示すように、光記録媒体１００は、基板１０２及び１０３の間に記録層１０１を形成することにより、全体として情報を記録するメディアとして機能するようになされている。例えば図１に示すように、ＢＤ（Blu-ray Disc、登録商標）やＤＶＤ（Digital Versatile Disc）などの一般的な光ディスクのように円盤状に形成し、中央部分にチャッキング用の孔を形成することも可能である。また、光記録媒体１００の形状に特に制限はなく、例えば矩形板状や各種多角形状に形成しても良い。
【００２０】
基板１０２及び１０３はガラス基板、アクリル樹脂やポリカーボネイト樹脂など種々の光学材料でなり、光を高い割合で透過させるようになされている。また基板１０２及び１０３は、直径φがそれぞれ約５０［ｍｍ］〜１５０［ｍｍ］程度、厚さｔ２及びｔ３が約０．０５〜１．２［ｍｍ］でなる円盤状に構成されている。また、光記録媒体１００の形状が正方形板状、長方形板状などでなる場合には、Ｘ方向及びＹ方向の長さがそれぞれ約５０［ｍｍ］〜１５０［ｍｍ］程度でなる。基板１０２及び１０３は、その表面が平坦でなり、平面を構成する。
【００２１】
記録層１０１は、０．０５［ｍｍ］以上、１．２[ｍｍ]以下、さらに好ましくは１．０［ｍｍ］以下でなることが好ましい。記録層１０１を薄くすると、記録層１０１の厚さ方向に記録マークＲＭを多く配列することができず、光記録媒体１００としての記憶容量を大きくすることができず、好ましくない。また、記録層１０１を１．２［ｍｍ］以上にすると、記録層１０１総体としての透過率が低下し、奥側において照射される光ビームの光強度を低下させるため、好ましくない。
【００２２】
因みに光を通過する基板１０２と記録層１０１とを加算した厚さは、１．２［ｍｍ］以下でなることが好ましい。厚さが１．２［ｍｍ］を超えると、光記録媒体１００の表面が傾いた時に当該光記録媒体１００内で生じる記録用の光ビーム（以下、これを記録光ビームＬ２ｃと呼ぶ）の非点収差が大きくなるからである。
【００２３】
基板１０２及び１０３の外側表面（記録層１０１と接触しない面）には、波長が記録用及び再生用でなる光ビームに対して無反射となるような４層無機層（Ｎｂ２Ｏ２／ＳｉＯ２／Ｎｂ２Ｏ５／ＳｉＯ２）などのＡＲ（AntiReflection coating）処理を施しても良い。
【００２４】
例えば、記録層１０１は、記録光ビームＬ２ｃの照射に応じて空洞でなる記録マークＲＭを形成することにより、情報を記録する。
【００２５】
このような記録層１０１は、例えば光硬化型樹脂、熱硬化型樹脂及び熱可塑性樹脂など、種々の樹脂材料及びこれらの組み合わせによって構成される。
【００２６】
実際上、光記録媒体１００は、以下のように作製される。基板１０３の上部に例えば重合によってフォトポリマーを形成する未硬化状態の液状材料Ｍ１（詳しくは後述する）が展開された後、当該液状材料Ｍ１上に基板１０２が載置される。これにより、図１における記録層１０１に相当する部分が未硬化状態の液状材料Ｍ１でなる光記録媒体１００（以下、これを未硬化光記録媒体１００ａと呼ぶ）が形成される。
【００２７】
このように未硬化光記録媒体１００ａは、硬化前のフォトポリマーである液状材料Ｍ１を透明な基板１０２及び１０３により挟んでおり、全体として薄い板状に構成されている。
【００２８】
液状材料Ｍ１は、液状材料Ｍ１の一部或いは大部分を構成する光重合型、光架橋型の樹脂材料（以下、これらを光硬化型樹脂と呼ぶ）として、例えばラジカル重合型のモノマー類とラジカル発生型の光重合開始剤、又はカチオン重合型のモノマー類とカチオン発生型の光重合開始剤若しくはこれらの混合物により構成されている。これらモノマー類及び光重合開始剤としては、特に制限はなく、公知のものを用いることができる。
【００２９】
またこの光重合型モノマー類、光架橋型モノマー類及び光重合開始剤、このうち特に光重合開始剤は、その材料が適切に選定されることにより、光重合を生じやすい波長を所望の波長に調整することも可能である。なお液状材料Ｍ１は、意図しない光によって反応が開始するのを防止するための重合禁止剤や、重合反応を促進させる重合促進剤、増感剤などの各種添加剤を適量含有しても良い。
【００３０】
そして未硬化光記録媒体１００ａは、液状材料Ｍ１が初期化光源から照射される初期化光Ｌ１に応じて光重合し、ポリマー化する。この結果、液状材料Ｍ１は硬化することにより初期化され、記録マークＲＭを記録する記録層１０１として機能するようになされている。因みに初期化光源としては、高圧水銀灯、高圧メタハラ灯、固体レーザ、キセノン灯や半導体レーザ等の高い光パワーを照射し得る光源が用いられる。
【００３１】
このとき液状材料Ｍ１は、当該液状材料Ｍ１内における光重合開始剤からラジカルやカチオンなどを発生させることによりモノマー類の光重合反応又は光架橋反応、もしくはその両方（以下、これらをまとめて光反応と呼ぶ）を開始させる。この結果液状材料Ｍ１は、モノマー類の光反応を連鎖的に進行させる。この結果モノマー類が重合してフォトポリマーとなることにより硬化し、記録層１０１となる。
【００３２】
なおこの液状材料Ｍ１では、全体的にほぼ均一に光反応が生じるため、硬化後の記録層１０１における屈折率は一様となる。すなわち初期化後の光記録媒体１００では、いずれの箇所に光を照射しても戻り光の光量がほぼ無い、あるいは一様となるため、情報が一切記録されていない状態となる。
【００３３】
また記録層１０１として、熱により重合する熱重合型又は熱により架橋又は硬化する熱架橋型の樹脂材料（以下、これを熱硬化型樹脂と呼ぶ）を用いることもできる。この場合硬化前の熱硬化型樹脂である液状材料Ｍ１としては、例えばその内部にモノマー類及び硬化剤、又は熱重合開始剤が均一に分散している。この液状材料Ｍ１は、高温下又は常温下においてモノマー類が重合又は架橋（以下、これを熱硬化と呼ぶ）することによりポリマーとなり、これに伴い屈折率及び反射率が変化するといった性質を有している。
【００３４】
熱硬化型樹脂に使用されるモノマー類、硬化剤又は熱重合開始剤としては、特に制限はなく、公知の化合物を使用することができる。なお硬化反応を促進する硬化補助剤など種々の添加物を添加するようにしても良い。
【００３５】
そして未硬化光記録媒体１００ａを所定温度に加熱したオーブンなどを用いて所定の加熱時間（例えば１時間）に亘って加熱することにより、光記録媒体１００を作製することができる。
【００３６】
さらに記録層１０１として、熱可塑性の樹脂材料を用いることができる。この場合、基板１０３上に展開される液状樹脂Ｍ１は、例えば所定の希釈溶剤で希釈されたポリマーや、熱により可塑化されたポリマーが使用される。希釈溶剤で希釈されたポリマーを液状材料Ｍ１として用いた場合は、熱乾燥により記録層１０１が形成される。熱により可塑化されたポリマーを用いた場合には、冷却により記録層１０１が形成される。なお、熱可塑性の樹脂材料としては、特に制限はなく、公知の化合物を用いることができる。
【００３７】
この記録層１０１は、熱に応じて気化する性質を有する気化材料を含有する。気化材料は、沸騰又は熱分解によって気化し、記録層１０１内で気泡を形成する。
【００３８】
すなわち光記録媒体１００では、液状材料Ｍ１において、沸騰又は分解などにより気化する気化温度を有する光重合開始剤、溶剤又はモノマー類などの気化材料を配合する。これにより、光記録媒体１００では、記録層１０１の内部に気化材料Ｌを散在させておく。
【００３９】
記録層１０１に対物レンズＯＬを介して記録光ビームＬ２ｃが照射されると、記録光ビームＬ２ｃの焦点Ｆ２近傍の温度が局所的に上昇し、気化温度以上の高温になる。
【００４０】
このとき記録光ビームＬ２ｃは、焦点Ｆ２近傍の記録層１０１に含まれる気化材料を気化させ、その体積を増大させることにより、焦点Ｆ２に気泡を形成する。このとき気化した気化材料は、そのまま記録層１０１の内部を透過し、又は記録光ビームＬ２ｃが照射されなくなることにより冷却され、体積の小さな液体に戻る。このため記録層１０１では、気泡により形成された空洞のみが焦点Ｆ２近傍に残ることになる。なお記録層１０１のような樹脂は、通常一定の速度で空気を透過させることから、いずれ空洞内は空気によって満たされると考えられる。
【００４１】
すなわち光記録媒体１００では、記録光ビームＬ２ｃを照射して記録層１０１が含有する気化材料を気化させることにより、焦点Ｆ２に気泡によって形成された空洞でなる記録マークＲＭを形成することができる。
【００４２】
一般的に記録層１０１に使用される樹脂材料の屈折率ｎ１０１が１．６程度であり、空気の屈折率ｎＡＩＲが１．０とその差異が大きい。記録層１０１は、当該記録マークＲＭに対して読出用の情報光ビームＬ２（以下、これを読出光ビームＬ２ｄと呼ぶ）が照射されると、当該記録マークＲＭの界面における屈折率の差異により、読出光ビームＬ２ｄを反射して比較的光量の大きい戻り光ビームＬ３を生成する。
【００４３】
一方記録層１０１は、記録マークＲＭが記録されていない所定の目標位置に対して読出光ビームＬ２ｄが照射されると、目標位置近傍が一様の屈折率ｎ１０１でなることにより、読出光ビームＬ２ｄをほとんど反射させることはない。
【００４４】
すなわち光記録媒体１００では、記録層１０１の目標位置に読出光ビームＬ２ｄを照射し、光記録媒体１００によって反射される戻り光ビームＬ３の光量を検出させる。これにより、光記録媒体１００は、記録層１０１における記録マークＲＭの有無を検出させることができ、記録層１０１に記録された情報を再生させ得るようになされている。
【００４５】
なお記録層１０１として熱硬化型樹脂を用いる場合には、熱硬化型のモノマー類、硬化剤及び熱重合開始剤として、気化材料が気化しないよう、常温硬化若しくは比較的低温で硬化する材料を使用することが好ましい。また、光重合開始剤の添加前に熱硬化樹脂の一部を加熱して予め硬化させておくことも可能である。熱乾燥により記録層１０１を形成する場合にも同様であり、比較的低温で乾燥し得る材料を選択することが好ましい。
【００４６】
また液状材料Ｍ１として光硬化型樹脂を用いる場合には、光重合開始剤を過剰量配合することにより、消費されなかった光重合開始剤（以下、これを光重合開始剤残渣と呼ぶ）をそのまま記録層１０１における気化材料として含有することができる。この場合、消費される光重合開始剤の量を考慮して光重合開始剤を配合することが好ましい。
【００４７】
また、記録層１０１として、多光子吸収により空洞でなる記録マークＲＭを形成することもできる。この場合、例えば、記録光ビームＬ２ｃに応じた多光子吸収によって気化する多光子吸収材料を記録層１０１中に含有させる。多光子吸収材料は、記録層１０１の半分以上を構成する主成分として用いても良く、例えば、色素などに代表される感度の高い多光子吸収材料を副成分として含有するようにしても良い。また、主成分の多光子吸収材料に対し、感度の高い多光子吸収材料を増感色素として添加することも可能である。
【００４８】
この場合、記録光ビームＬ２ｃとして、出射光強度が非常に大きく出射時間が短い、いわゆるパルス出力レーザ（例えばフェムト秒レーザやピコ秒レーザ）が用いられる。
【００４９】
記録層１０１は、ホログラムでなる記録マークＲＭを形成することもできる。記録層１０１は、例えばバインダーに対し、上述した光硬化型樹脂を分散させておく。このとき記録光ビームＬ２ｃとして、信号光及び参照光が干渉した状態で記録層１０１に照射される。この記録光ビームＬ２ｃが形成する干渉縞の明部に応じて光硬化型樹脂がポリマー化することにより、記録層１０１にホログラムでなる記録マークＲＭが形成される。
【００５０】
なお光記録媒体１００は、基板１０３上に形成された固形の記録層１０１や予め固形シートとして形成された記録層１０１を、接着剤及び接着シートなどにより基板１０２又は１０３に貼り合わせることによっても形成することができる。また光記録媒体１００は、必ずしも１０３を有する必要はなく、記録層１０１及び基板１０２のみから構成されていても良い。
【００５１】
また記録層１０１としては、記録マークＲＭが配列される層（以下、これをマーク層と呼ぶ）Ｙが複数に亘って形成されることが好ましい。なおこのマーク層Ｙは、記録マークＲＭが配列されることにより形成されるため、記録マークＲＭの形成前には仮想で存在することになる。記録層１０１内に形成されるマーク層Ｙの数に制限はないが、光記録媒体１００の記憶容量を向上させるため、好ましくは１０層以上、より好ましくは２０層以上形成されることが想定されている。
【００５２】
ところで、光記録媒体１００は、従来のＤＶＤやＢＤなどと異なり、その平面上に記録マークを形成する記録膜を有していない。このため、光記録媒体１００は、一様でなる記録層１０１の内部に記録マークＲＭが形成されることになる。
【００５３】
光記録媒体１００は、記録層１０１及び基板１０２又は１０３の界面、若しくは記録層１０１及び基板１０２及び１０３の界面に、光記録媒体１００のＸＹ方向の位置を表す凹凸（以下、これを位置決め用凹凸と呼ぶ）が設けられている。この位置決め用凹凸は、隣接する基板１０２によってその凹凸が埋められている。
【００５４】
具体的には、一般的なＢＤ−Ｒ（Recordable）ディスク等と同様のグルーブ及びランドにより螺旋状のトラック（以下、これをサーボトラックと呼ぶ）を形成している。このグルーブ及びランドの幅は、情報の記録及び再生用の情報光ビームＬ２の波長に応じて選定される。以下、この位置決め用凹凸が形成された界面を凹凸界面１０５と呼ぶ。
【００５５】
例えば情報光ビームＬ２の波長が６５０［ｎｍ］であるならば、ＤＶＤ（Digital Versatile Disc）−Rと同様の幅でなるグルーブ及びランドを用いることができる。また情報光ビームＬ２の波長が４０５［ｎｍ］であるならば、ＢＤと同様の幅でなるグルーブ及びランドを用いることができる。ＤＶＤ−ＲＡＭ（Random Access Memory）のように、グルーブ及びランドをそれぞれトラックピッチと同一幅に設定することも可能である。
【００５６】
この位置決め用凹凸には、所定の記録単位ごとに一連の番号でなるアドレスが付されており、サーボ用の光ビーム（以下、これをサーボ光ビームＬＳと呼ぶ）が照射されるべきサーボトラック（以下、これを目標サーボトラックと呼ぶ）を当該アドレスにより特定し得るようになされている。
【００５７】
なお凹凸界面１０５には、案内溝に代えてピット等が形成され、或いは案内溝とピット等とが組み合わされていても良い。また凹凸界面１０５のサーボトラックは、螺旋状でなく同心円状であっても良い。
【００５８】
図２（Ａ）に示すように、光記録媒体１００は、凹凸界面１０５を記録層１０１の入射側に設けた場合、記録層１０１の入射側の表面からの深さ（以下、これを表面深さｆと呼ぶ）と、凹凸界面１０５からの深さ（以下、これを基準面深さｄと呼ぶ）とを常に一致させることができる。
【００５９】
このため光記録媒体１００は、記録層１０１の厚さｔ１にムラがあった場合であっても、情報光ビームＬ２の球面収差を常に凹凸界面１０５からの基準面深さｄにすることができる。すなわち光ディスク装置は、当該基準面深さｄに応じて球面収差を補正すれば、情報光ビームＬ２のスポットを十分に絞ることができ、記録及び再生特性を良好にし得る。
【００６０】
これに対して図２（Ｂ）に示すように、光記録媒体１００は、凹凸界面１０５を入射側とは反対側（すなわち第２面１００ｙ側）に設けた場合、記録層１０１の厚さｔ１から基準面深さｄを減算した値が表面深さｆとなり、当該表面深さｆが厚さｔ１によって変化してしまう。
【００６１】
すなわち光ディスク装置は、基準面深さｄに応じて球面収差を補正しても、厚さｔ１が規定値からずれていた場合には、当該球面収差を適切に補正することができず、情報光ビームＬ２のスポットを十分に絞ることができず、記録及び再生特性を低下させてしまう。
【００６２】
従って図３に示した光記録媒体１００のように、凹凸界面１０５が片側にのみ設けられる場合、当該凹凸界面１０５は、記録層１０１と基板１０２との界面、すなわち記録層１０１のサーボ光ビームＬＳが入射される入射側（すなわち第１面１００ｘ側）に隣接して設けられることが好ましい。
【００６３】
例えば、図３に示したように、基板１０２及び記録層１０１の界面に凹凸界面１０５が形成され、記録層１０１に空洞でなる記録マークＲＭが形成される場合について説明する。凹凸界面１０５は、基板１０２側からサーボ光ビームＬＳが照射された場合、当該サーボ光ビームＬＳの一部を当該基板１０２側へ反射する。以下、このとき反射された光ビームをサーボ反射光ビームＬＳｒと呼ぶ。
【００６４】
このサーボ反射光ビームＬＳｒは、例えば光記録再生装置において、凹凸界面１０５における目標サーボトラックに対して、所定の対物レンズＯＬにより集光されたサーボ光ビームＬＳの焦点ＦＳを合わせられる。これにより、当該対物レンズＯＬの位置制御（すなわちフォーカス制御及びトラッキング制御）がなされることが想定されている。
【００６５】
実際上、光記録媒体１００に情報が記録されるとき、図３に示したように、位置制御された対物レンズＯＬによりサーボ光ビームＬＳが集光され、凹凸界面１０５の目標サーボトラックに合焦される。
【００６６】
また、当該サーボ光ビームＬＳと光軸Ｌｘを共有し当該対物レンズＯＬにより集光された情報光ビームＬ２（読出光ビームＬ２ｃ又は記録光ビームＬ２ｄ）が、基板１０２及び凹凸界面１０５を透過し、記録層１０１内における当該所望トラックの裏側に相当する位置に合焦される。このとき情報光ビームＬ２の焦点Ｆ２は、対物レンズＯＬを基準として、共通の光軸Ｌｘ上における焦点ＦＳよりも遠方に位置することになる。
【００６７】
この結果、光記録媒体１００には、記録層１０１内における目標サーボトラックの裏側に相当する焦点Ｆ２の位置に、記録マークＲＭが記録される。
【００６８】
さらに光記録媒体１００は、記録層１０１の厚さｔ１（＝０．３［ｍｍ］）が記録マークＲＭの高さＲＭｈよりも充分に大きくなるよう設計されている。記録層１０１は、凹凸界面１０５からの距離（以下、これを深さと呼ぶ）ｄが切り換えられながら記録マークＲＭが記録されることにより、複数のマーク層Ｙを当該光記録媒体１００の厚さ方向に重ねた多層記録を行い得るようになされている。
【００６９】
この情報光ビームＬ２としては、その波長に特に制限はないが、例えば波長約４０５［ｎｍ］の青紫色光ビームが用いられる。サーボ光ビームＬＳとしては、その波長に特に制限はないが、例えば波長約６５６［ｎｍ］の赤色光ビームが用いられる。
【００７０】
光記録媒体１００において凹凸界面１０５には、基板１０２と記録層１０１との屈折率差Δｎにより、サーボ光ビームＬＳの一部を反射する。言い換えると、凹凸界面１０５には、ダイクロイックミラーでなる透過反射膜などが形成されておらず、基板１０２と記録層１０１とが直接接触している。
【００７１】
光記録媒体１００は、例えばスタンパなどにより予め位置決め用凹凸が形成された基板１０２上に記録層１０１が形成され、基板１０３が貼り合わせることにより作製される。また、記録層１０１に位置決め用凹凸を形成し、スピンコートなどにより基板１０２を形成することも可能である。
【００７２】
この屈折率差Δｎは、サーボ光ビームＬＳの波長において、０．０４以上であることが好ましい。サーボ光ビームＬＳの波長に対する屈折率差Δｎｓが０．０４よりも小さいと、サーボ反射光ビームＬＳの光量が不十分となり、サーボ反射光ビームＬＳから適切なサーボ制御信号（トラッキングエラー信号及びフォーカスエラー信号など）を生成できないからである。
【００７３】
屈折率差Δｎは、情報光ビームＬ２の波長において、０．０７以下であることが好ましい。情報光ビームＬ２の波長に対する屈折率差Δｎ２により情報光ビームＬ２が凹凸界面１０５によって反射してノイズとなるが、記録層１０１の屈折率が１．６の場合、屈折率差０．０７を超えると、再生信号の品質に多大な影響を与えるからである。
【００７４】
このように、光記録媒体１００は、基板１０２と記録層１０１との凹凸界面１０５にサーボ光ビームＬＳを反射させるための誘電体膜等を有していないため、構成を簡易にすることができる。
【００７５】
［２．光記録再生装置の構成］
図４において光記録再生装置５は、全体として光記録媒体１００における記録層１０１に対して光を照射することにより、記録層１０１において想定される複数のマーク層Ｙに情報を記録し、また当該情報を再生するようになされている。このマーク層Ｙは、記録マークＲＭが配列されることによって形成されるものであり、記録マークＲＭが形成される前段階においては、仮想に存在するものである。
【００７６】
光記録再生装置５は、ＣＰＵ（Central Processing Unit）構成でなる制御部６により全体を統括制御するようになされており、図示しないＲＯＭ（Read Only Memory）から基本プログラムや情報記録プログラム、情報再生プログラム等の各種プログラムを読み出し、これらを図示しないＲＡＭ（Random Access Memory）に展開することにより、情報記録処理や情報再生処理等の各種処理を実行するようになされている。
【００７７】
制御部６は、光ピックアップ７を制御することにより、当該光ピックアップ７から光記録媒体１００に対して光を照射させ、また当該光記録媒体１００から戻ってきた光を受光するようになされている。
【００７８】
光ピックアップ７は、制御部６の制御に基づき、レーザダイオードでなるサーボ光源１０から例えば波長６５６［ｎｍ］のサーボ光ビームＬＳをＤＣ出力で出射させる。当該サーボ光ビームＬＳは、コリメータレンズ１１により発散光から平行光に変換され、ビームスプリッタ１２に入射される。
【００７９】
因みにサーボ光源１０は、制御部６の制御に従い、サーボ光ビームＬＳの光量を調整し得るようになされている。
【００８０】
ビームスプリッタ１２は、反射透過面１２Ｓによりサーボ光ビームＬＳの一部を透過させ、ダイクロイックプリズム３０へ入射される。ダイクロイックプリズム３０は、波長選択性を有しており、サーボ光ビームＬＳを反射させる一方、情報光ビームＬ２を透過させるダイクロイック膜３０Ｓを有している。ダイクロイックプリズム３０は、サーボ光ビームＬＳを反射し、対物レンズ１３へ入射させる。
【００８１】
対物レンズ１３は、図示しないアクチュエータにより駆動可能になされており、図５（Ａ）に示すように、サーボ光ビームＬＳを集光し、光記録媒体１００の凹凸界面１０５に合焦させる。
【００８２】
また対物レンズ１３は、光記録媒体１００からサーボ反射光ビームＬＳｒが戻ってきた場合、当該サーボ反射光ビームＬＳｒを平行光に変換し、ダイクロイックプリズム３０へ入射する。ダイクロイックプリズム３０は、波長によりサーボ反射光ビームＬＳｒを反射し、ビームスプリッタ１２へ入射させる。このときビームスプリッタ１２は、サーボ反射光ビームＬＳｒの一部を反射透過面１２Ｓにより反射し、集光レンズ１４へ入射させる。
【００８３】
集光レンズ１４は、サーボ反射光ビームＬＳｒを集光して受光素子１５に照射する。これに応じて受光素子１５は、サーボ反射光ビームＬＳｒの光量を検出し、当該光量に応じた検出信号を生成して制御部６へ送出する。
【００８４】
制御部６は、検出信号に基づいて、サーボ光ビームＬＳが凹凸界面１０５に合焦しているか否かを表すフォーカスエラー信号と、サーボ光ビームＬＳが目標サーボトラックに合焦しているか否かを表すトラッキングエラー信号を生成する。
【００８５】
制御部６は、フォーカスエラー信号に基づいて、対物レンズ１３を光記録媒体１００に対して離隔又は近接させるフォーカス方向に駆動する、いわゆるフォーカスサーボをかけることにより、対物レンズ１３をフォーカス方向に駆動する。これにより、制御部６は、サーボ光ビームＬＳを凹凸界面１０５に合焦させる。
【００８６】
制御部６は、トラッキングエラー信号に基づいて、対物レンズ１３を光記録媒体１００の半径（すなわちフォーカス方向に対して垂直）方向に駆動する、いわゆるトラッキングサーボをかけることにより、対物レンズ１３をトラッキング方向に駆動する。これにより、制御部６は、サーボ光ビームＬＳを目標サーボトラックに合焦させる。
【００８７】
光ピックアップ７は、制御部６の制御に基づき、レーザダイオードでなる記録再生光源２０から例えば波長４０５［ｎｍ］の情報光ビームＬ２をＤＣ出力で出射させ、当該情報光ビームＬ２をコリメータレンズ２１により発散光から平行光に変換した上でビームスプリッタ２２に入射させるようになされている。
【００８８】
因みに記録再生光源２０は、制御部６の制御に従い、情報光ビームＬ２の光量を調整し得るようになされている。
【００８９】
ビームスプリッタ２２は、反射透過面２２Ｓにより情報光ビームＬ２の一部を透過させ、ダイクロイックプリズム３０に入射させる。ダイクロイックプリズム３０は、情報光ビームＬ２を波長により透過し、対物レンズ１３へ入射させる。図５（Ｂ）に示すように、対物レンズ１３は、情報光ビームＬ２を集光することにより、光記録媒体１００内の任意の箇所（すなわち目標位置）に合焦させるようになされている。
【００９０】
また対物レンズ１３は、光記録媒体１００から戻り光ビームＬ３が戻ってきた場合、当該戻り光ビームＬ３を平行光に変換し、ダイクロイックプリズム３０に入射させる。ダイクロイックプリズム３０は、戻り光ビームＬ３を波長により透過し、ビームスプリッタ２２へ入射させる。このときビームスプリッタ２２は、戻り光ビームＬ３の一部を反射透過面２２Ｓにより反射し、集光レンズ２４へ入射させる。
【００９１】
集光レンズ２４は、戻り光ビームＬ３を集光して受光素子２５に照射する。これに応じて受光素子２５は、戻り光ビームＬ３の光量を検出し、当該光量に応じた検出信号を生成して制御部６へ送出する。これにより制御部６は、検出信号を基に戻り光ビームＬ３の検出状態を認識し得るようになされている。
【００９２】
ところで光ピックアップ７は、図示しない回転駆動部が設けられており、制御部６の制御により、光記録媒体１００を任意の速度で回転させるようになされている。
【００９３】
このように光記録再生装置５は、光記録媒体１００内の任意の箇所に対して情報光ビームＬ２を集光し、また当該光記録媒体１００から戻ってくる戻り光ビームＬ３を検出し得るようになされている。
【実施例】
【００９４】
［３．屈折率差の検討］
上述したサーボ光ビームＬＳを反射させるために必要となる屈折率差Δｎについて、検討を行った。
【００９５】
［３−１．サーボ制御に必要な屈折率差］
実施例として、基板１０２及び記録層１０１の屈折率の相違するサンプルＳ１〜Ｓ４を作製し、サーボ制御信号の品質について評価した。
【００９６】
（サンプルの作製）
表１に示すように、基板１０２として屈折率の相違する４種類のガラス基板（ガラス基板１〜ガラス基板４）を準備した。基板１０２として、位置決め用凹凸が予め形成されているものを準備した。
【００９７】
【表１】
2011014199.tif 000003
【００９８】
表２に示すように、記録層１０１として、２種類の処方（処方１及び処方２）でなる液状材料Ｍ１を調製した。すなわち、処方１では、モノマー類としてフルオレン２官能アクリレートモノマー９０重量部及びベンジルアクリレート９．２重量部、熱重合開始剤Ｌとして、（化１）式に示す脂肪族系ジアシルパーオキサイド０．８重量部を加え、暗室化において混合脱泡することにより、液状材料Ｍ１を調製した。
【００９９】
【表２】
2011014199.tif 000004
【０１００】
【化１】
2011014199.tif 000005
【０１０１】
また、処方２では、モノマー類としてアクリル酸エステルモノマー（ｐ−クミルフェノールエチレンオキシド付加アクリル酸エステル）４０重量部及びフルオレン２官能アクリレートモノマー６０重量部を混合し、さらに光重合開始剤Ａ（気化材料）としてクミルトリルヨードニウムテトラキス（ペンタフルオロフェニル）ホウ素１０重量部、（化１）式に示す脂肪族系ジアシルパーオキサイド０．８重量部を加え、暗室化において混合脱泡することにより、液状材料Ｍ１を調製した。
【０１０２】
基板１０３上に液状材料Ｍ１を展開した後、基板１０２の位置決め用凹凸が形成された面上を内側にして、基板１０２及び１０３により液状材料Ｍ１を挟み込むことにより、未硬化光記録媒体１００ａを作製した。この未硬化光記録媒体１００ａを、槽内を設定温度に保持できるオーブン装置の槽内に放置することにより加熱処理を施し、記録層１０１が熱硬化された光記録媒体１００としてのサンプルＳ１〜Ｓ４を作製した。設定温度は１００［℃］、加熱時間は１時間であった。
【０１０３】
（屈折率の測定）
アッベ屈折率計により、サーボ光ビームＬＳと同一波長（６５６［ｎｍ］）に対するガラス基板１〜４及び記録層１０１（処方１及び２）の屈折率を測定した。表３に、測定された屈折率の一覧を示している。測定時の温度は２０［℃］であった。アッベ屈折率計としては、（株）マイセック製、多波長アッベ屈折率計ＤＲ−Ｍ２を用いた。表３に、各サンプルＳ１〜Ｓ３における基板１０２及び記録層１０１の６５６［ｎｍ］における屈折率、並びに６５６［ｎｍ］における基板１０２及び記録層１０１の屈折率差Δｎｓを示している。
【０１０４】
【表３】
2011014199.tif 000006
【０１０５】
（サーボ制御信号の評価）
上述した光記録再生装置５を用い、光記録媒体１００（サンプルＳ１〜Ｓ４）における凹凸界面１０５に対してサーボ光ビームＬＳを照射すると共に、サーボ反射光ビームＬＳｒに基づくサーボ制御信号として、トラッキングエラー信号を生成した。このときのサーボ光ビームＬＳの光パワーは５０［ｍＷ］、対物レンズ１３の開口数ＮＡは０．５であった。
【０１０６】
受光素子１５において受光されたサーボ反射光ビームＬＳｒの平均受光パワーを表４に示している。
【０１０７】
【表４】
2011014199.tif 000007
【０１０８】
表からわかるように、屈折率差Δｎｓの小さいサンプルＳ２では、サンプルＳ１、Ｓ３及びＳ４と比して、平均受光パワーが極端に小さかった。また、屈折率差Δｎｓが約１０［μＷ］以上でなるサンプルＳ１、Ｓ３及びＳ４に対しては、問題なくトラッキングサーボをかけることができたが、サンプルＳ２に対しては、トラッキングサーボをかけることができなかった。
【０１０９】
各サンプルＳ１〜Ｓ４から得られたトラッキングエラー信号の波形を図６に示す。なお、図６は、対物レンズ１３をトラッキング方向に駆動せず、光記録媒体１００を回転させたときに得られる、いわゆるトラバース信号を示している。
【０１１０】
図からわかるように、サンプルＳ１、Ｓ３及びＳ４から得られたトラッキングエラー信号は、トラックを横切ったことを表す振幅がきれいにその波形に表われている。これに対してサンプルＳ２から得られたトラッキングエラー信号は、随時信号レベルが高周波で上下しており、サーボ光ビームＬＳとトラックの位置（トラッキング方向）との関係を表しているとはいえない。
【０１１１】
これらのことから、サーボ光ビームＬＳに対する屈折率差Δｎｓが、０．０４以上あることにより、トラッキングサーボをかけられると考えられる。また、トラッキングサーボをかけられることが確認されていることから、屈折率差Δｎｓが０．０４６以上あることがさらに好ましいといえる。
【０１１２】
［３−２．ノイズの低減］
次に、屈折率差Δｎが情報光ビームＬ２に対して与える影響について考察する。
【０１１３】
情報光ビームＬ２は、サーボ光ビームＬＳとは異なり、凹凸界面１０５において極力反射されることなく、記録層１０１の内部に照射されることが望ましい。
【０１１４】
図７に記録層１０１において形成されるマーク層Ｙを模式的に示している。第１面１００ｘ側から数えて第１層目のマーク層Ｙ１は、その厚さ方向の中心が凹凸界面１０５から少なくとも１０［μｍ］程度離隔して設けられることが想定されている。
【０１１５】
上述した光記録再生装置５を用い、光記録媒体１００（サンプルＳ１〜Ｓ４）における第１層目のマーク層Ｙ１が形成されるべき目標位置に記録光ビームＬ２ｃを照射し、マーク層Ｙ１を形成した。このときの記録光ビームＬ２ｃの光パワーは２８［ｍＷ］、対物レンズ１３の開口数ＮＡは０．５、光記録媒体１００の回転速度の調整による照射時間（換算）は９０［μｓｅｃ］であった。
【０１１６】
さらに、マーク層Ｙ１に対して読出光ビームＬ２ｄを照射し、受光素子２５によって戻り光ビームＬ３を受光した。このときの読出光ビームＬ２ｄの光パワーは２００［μＷ］、対物レンズ１３の開口数ＮＡは０．５であった。
【０１１７】
このとき、受光素子２５は、読出光ビームＬ２ｄに対して０．１［％］の光パワーでなる戻り光ビームＬ３を受光した。因みに、マーク層Ｙを形成しない箇所に読出光ビームＬ２ｄを照射した場合、受光素子２５は、読出光ビームＬ２ｄに対して０．００２［％］の光パワーでなる光を受光した。
【０１１８】
ここで、記録層１０１の屈折率をｎｒ、基板１０２の屈折率をｎｐとするとき、凹凸界面１０５に照射される光の界面反射率Ｒを、（１）式に従って算出することができる。
【０１１９】
【数１】
2011014199.tif 000008
【０１２０】
（１）式は、光ビームの焦点が凹凸界面１０５に位置するときの界面反射率Ｒを表すものである。実際には、光ビームの焦点の深さが凹凸界面１０５から離隔するに従って、界面反射率Ｒは低下する。上述したように、第１層目のマーク層Ｙ１は、その厚さ方向の中心が凹凸界面１０５から少なくとも１０［μｍ］程度離隔して設けられることが想定されている。
【０１２１】
凹凸界面１０５から１０［μｍ］の深さに焦点が位置する場合、界面反射率Ｒは、１／５０となる。すなわち、マーク層Ｙ１に読出光ビームＬ２ｄを照射する場合、（１）式によって算出される界面反射率Ｒ×１／５０だけ凹凸界面１０５によって反射された光（以下、これを界面反射迷光と呼ぶ）が発生する。
【０１２２】
ここで、許容される迷光の強度は、Ｓ／Ｎ（Signal to Noise）比として２０［ｄＢ］、すなわち受光量に対して１／１００以下である。戻り光ビームＬ３の受光量が０．１［％］であることから、許容される迷光の強度は、（２）式に示すように、０．００１［％］以下である必要がある。
【０１２３】
【数２】
2011014199.tif 000009
【０１２４】
（２）式を変形すると、（３）式を得ることができる。
【０１２５】
【数３】
2011014199.tif 000010
【０１２６】
従って、界面反射率Ｒを０．０５［％］以下にすることにより、再生ＲＦ信号及びサーボ制御信号に対する界面反射迷光の影響を問題ないレベルに抑制することが可能であるといえる。
【０１２７】
一般的な樹脂材料では、その屈折率が１．６程度である。記録層１０１の屈折率ｎｒが１．６の場合、（３）式を満たすためには、基板１０２の屈折率ｎｐを１．５３０以上、又は１．６７３以下にする必要がある。すなわち、記録層１０１の屈折率ｎｒと基板１０２の屈折率ｎｐとを少なくとも０．０７以下に抑えることにより、界面反射迷光の影響を問題ないレベルに抑制することが可能であるといえる。
【０１２８】
表５に、各サンプルＳ１〜Ｓ４における界面反射率Ｒを示している。いずれのサンプルＳ１〜Ｓ４においても、界面反射率Ｒが小さく、界面反射迷光が問題ないレベルであることが確認された。
【０１２９】
【表５】
2011014199.tif 000011
【０１３０】
これらのことから、界面反射率Ｒを０．０５［％］以下にすることにより、再生ＲＦ信号及びサーボ制御信号に対する界面反射迷光の影響を問題ないレベルに抑制することが可能であるといえる。
【０１３１】
また、サンプルＳ１〜Ｓ４では、記録層１０１として樹脂材料を用い、基板１０２としてガラス材料を用いている。一般的に、波長と屈折率との関係をグラフ化したとき、樹脂材料同士の波長に対する屈折率の傾きは類似する傾向がある。本実施例では、基板１０２として無機材料を用いたことにより、基板１０２における屈折率の傾きを記録層１０１の屈折率の傾きと相違させている。
【０１３２】
すなわち、本実施例では、サーボ光ビームＬＳ（６５６［ｎｍ］）に対する屈折率差Δｎｓよりも、情報光ビームＬ２（４０５［ｎｍ］）における屈折率差Δｎ２を小さく設定している。これにより、本実施例の光記録媒体１００は、サーボ光ビームＬＳによるサーボ反射光ビームＬＳｒの光量を増大させつつ、界面反射迷光を低減させている。
【０１３３】
［４．動作及び効果］
以上の構成によれば、光記録媒体１００の記録層１０１は、一様でなる層内に立体的な記録マークＲＭが形成されることにより情報が記録され、一面に面方向の位置を特定するためのサーボ用の凹凸である位置決め用凹凸が形成されている。隣接層としての基板１０２は、記録層１０１における位置決め用凹凸に隣接して設けられ、サーボ用に用いられるサーボ光ビームＬＳの波長に対する記録層１０１との屈折率差Δｎｓが０．０４以上である。
【０１３４】
光記録媒体１００は、位置決め用凹凸の形成された記録層１０１及び基板１０２の凹凸界面１０５においてその屈折率差Δｎｓによりサーボ光ビームＬＳを反射し、サーボ制御信号を生成するために十分な光量でなるサーボ反射光ビームＬＳｒを生成することができる。この結果、光記録媒体１００は、凹凸界面１０５にダイクロイックミラーなど、サーボ光ビームＬＳを反射させるための誘電体膜等などを設けずに済み、光記録媒体１００としての構成を簡易にすることができる。
【０１３５】
記録層１０１の屈折率をｎｒ、隣接層の屈折率をｎｐとするとき、（１）式によって示された記録層１０１及び基板１０２の界面における、情報の再生用に用いられる読出光ビームＬ２ｄの界面反射率Ｒが、０．０５［％］以下でなる。
【０１３６】
これにより、光記録媒体１００は、凹凸界面１０５から１０［μｍ］の位置に第１面１００ｘ側から第１層目のマーク層Ｙ１を形成した場合であっても、界面反射迷光の光量を許容される範囲内に抑制することができる。このとき、光記録媒体１００は、再生ＲＦ信号及びサーボ制御信号におけるＳ／Ｎ比を一定以上に保ち得、光記録再生装置５に対し、情報の再生及びサーボ制御を確実に実行させ得る。すなわち、記録層１０１と基板１０２との屈折率差Δｎｓが拡大すれば、サーボ光ビームＬＳの反射光量を増大させることができるものの、屈折率差Δｎ２も大きくなる傾向にあるため、読出光ビームＬ２ｄの界面反射迷光を増大させる可能性が高い。光記録媒体１００は、界面反射率Ｒを０．０５［％］以下にすることによって界面反射迷光を問題ないレベルまで抑制することができる。
【０１３７】
読出光ビームＬ２ｄの波長は、サーボ光ビームＬＳの波長と相違し、読出光ビームＬ２ｄの波長に対する記録層１０１及び基板１０２の屈折率差Δｎ２は、サーボ光ビームＬＳの波長に対する記録層１０１との屈折率差Δｎｓよりも小さい。
【０１３８】
これにより、光記録媒体１００は、サーボ反射光ビームＬＳｒの光量を確保しつつ、凹凸界面１０５によって反射される読出光ビームＬ２ｄの界面反射迷光の光量を極力減少させることができる。この結果、光記録媒体１００は、Ｓ／Ｎ比を高めて再生ＲＦ信号及びサーボ制御信号の品質を向上させることができる。
【０１３９】
すなわち、光記録媒体１００は、界面反射迷光を減少させるために凹凸界面１０５から１０［μｍ］より大きい一定の距離だけ離隔させてマーク層Ｙ１を形成する必要がなく、記録層１０１を有効に利用することができる。この結果、光記録媒体１００は、記録層１０１に形成するマーク層Ｙの数を増大させることができ、光記録媒体１００としての記録容量を増大させ得る。
【０１４０】
光記録媒体１００において、読出光ビームＬ２ｄの波長に対する記録層１０１及び基板１０２の屈折率差Δｎ２は、０．０７以下である。
【０１４１】
これにより、光記録媒体１００は、標準的な樹脂材料を記録層１０１に用いた場合において、界面反射迷光の光量を許容される範囲内に抑制することができる。
【０１４２】
光記録媒体１００は、読出光ビームＬ２ｄの波長に対する記録層１０１の屈折率ｎｒが、読出光ビームＬ２ｄの波長に対する基板１０２の屈折率ｎｐよりも小さい。
【０１４３】
これにより、光記録媒体１００は、読出光ビームＬ２ｄの波長に対して同一の屈折率差Δｎ２を有している場合であっても、（１）式における分母を増大させることができ、界面反射迷光の光量を減少させ得る。
【０１４４】
光記録媒体１００において、記録層１０１は、樹脂材料であり、基板１０２は、無機材料である。
【０１４５】
これにより、光記録媒体１００は、波長に対する屈折率の変化率が相違する２種類の材料を記録層１０１及び基板１０２として用いることができる。この結果、光記録媒体１００は、サーボ光ビームＬＳに対して屈折率差Δｎｓが大きく、読出光ビームＬ２ｄに対して屈折率差Δｎ２が小さいような材料を任意に選択することが可能となる。
【０１４６】
光記録媒体１００において、記録層１０１は、空洞でなる記録マークＲＭが形成されることにより情報が記録され、基板１０２は、読出光ビームＬ２ｄが入射される入射側（第１面１００ｘ側）に設けられている。
【０１４７】
これにより、光記録媒体１００は、記録層１０１の膜厚ムラに拘らず、凹凸界面１０５からの深さｄを一定にすることができ、記録層１０１の内部で発生する球面収差を適切に補正し得る。
【０１４８】
読出光ビームＬ２ｄは、波長が４００［ｎｍ］〜４１０［ｎｍ］でなる。
【０１４９】
これにより、光記録媒体１００は、光記録再生装置５における光学部品として樹脂製の素子を使用させつつ、記録光ビームＬ２ｃのエネルギーを大きく設定して、記録マークＲＭを迅速に形成し得る。
【０１５０】
サーボ光ビームＬＳは、波長が６３０［ｎｍ］〜７８０［ｎｍ］でなる。
【０１５１】
これにより、光記録媒体１００は、サーボ光ビームＬＳと読出光ビームＬ２ｄとの波長の差異を大きく設定することができる。このため、光記録媒体１００は、サーボ光ビームＬＳに対して屈折率差Δｎｓが大きく、読出光ビームＬ２ｄに対して屈折率差Δｎ２が小さいような材料を選択し易くでき、設計の自由度を向上させ得る。
【０１５２】
以上の構成によれば、光記録媒体１００は、記録層１０１及び基板１０２の屈折率差Δｎｓによりサーボ光ビームＬＳを反射させる。このとき、光記録媒体１００は、サーボ光ビームＬＳの波長に対する屈折率差Δｎｓが０．０４以上であれば、サーボ反射光ビームＬＳｒとして十分な光量を発生させ得る。この結果、光記録媒体１００は、光記録再生装置５に適切なサーボ制御信号を生成させ得ることが確認された。かくして本発明は、構成を簡易にし得る光記録媒体１００を実現し得る。
【０１５３】
［５．他の実施の形態］
なお上述した実施の形態においては、記録層１０１が気泡（すなわち空洞）でなる記録マークＲＭを形成するようにした場合について述べたが、本発明はこれに限らず、記録光ビームＬ２ｃに応じた化学変化により焦点Ｆ２近傍の屈折率が変化されてなる記録マークを形成するようにしても良い。要は、立体的な記録マークによって読出光ビームＬ２ｄを反射して検出可能な光量の戻り光ビームＬ３を発生させればよい。
【０１５４】
また上述した実施の形態においては、記録マークＲＭに対して読出光ビームＬ２ｄを照射し、当該記録マークＲＭによって反射されてなる戻り光ビームＬ３によって記録マークＲＭの有無を検出するようにした場合について述べたが、本発明はこれに限られない。例えば読出光ビームＬ２ｄを透過させた透過光ビームを受光し、読出光ビームＬ２ｄの光量の増減を検出することにより記録マークＲＭの有無を検出するようにしても良い。
【０１５５】
さらに上述した実施の形態においては、光ディスク１００の基板１０２側の面から情報光ビームＬ２を照射するようにした場合について述べた。本発明はこれに限らず、例えば情報光ビームＬ２を基板１０３側の面から照射するようにする等、情報光ビームＬ２をそれぞれいずれの面、もしくは両面から照射するようにしても良い。なお情報光ビームＬ２を両面から照射し、ホログラムでなる立体的な記録マークを形成する手法については、例えば特許文献２に記載されている。
【０１５６】
【特許文献２】特開２００８−７１４３３公報
【０１５７】
さらに上述した実施の形態においては、第１層のマーク層Ｙ１が凹凸界面１０５から１０［μｍ］の位置に形成されるようにした場合について述べた。本発明はこれに限らず、例えば凹凸界面１０５からより離隔した位置に形成されるようにしても良い。この場合、マーク層Ｙの数が減少してしまう可能性があるものの、界面反射率Ｒを０．０５［％］以上にすることが可能である。また、光記録再生装置における、受光素子２５の手前にピンホール板を設置することにより、界面反射迷光の大部分を除去することが可能である。
【０１５８】
さらに上述した実施の形態においては、読出光ビームＬ２ｄの波長に対する屈折率差Δｎ２がサーボ光ビームＬＳの波長に対する屈折率差Δｎｓよりも小さいようにした場合について述べた。本発明はこれに限らず、界面反射率Ｒを０．０５［％］にすることにより、上述した実施の形態と同様の効果を得ることができる。
【０１５９】
さらに上述した実施の形態においては、読出光ビームＬ２ｄの波長に対する記録層１０１の屈折率が、読出光ビームＬ２ｄの波長に対する基板１０２の屈折率よりも小さいようにした場合について述べた。本発明はこれに限らず、読出光ビームＬ２ｄの波長に対する記録層１０１の屈折率が、読出光ビームＬ２ｄの波長に対する基板１０２の屈折率よりも同等若しくは大きくても良い。
【０１６０】
さらに上述した実施の形態においては、基板１０２が無機材料のガラス基板でなるようにした場合について述べた。本発明はこれに限らず、読出光ビームＬ２ｄ及びサーボ光ビームＬＳに対して高透過率を確保できれば、その材質に制限はない。また、記録層１０１として、有機金属化合物などの無機マトリックス及び樹脂材料を組み合わせても良い。
【０１６１】
さらに上述した実施の形態においては、読出光ビームＬ２ｄの波長を４０５［ｎｍ］にするようにした場合について述べた。本発明はこれに限らず、読出光ビームＬ２ｄの波長に制限はない。読出光ビームＬ２ｄの波長は、記録層１０１の特性に応じて適宜選択することが可能である。
【０１６２】
さらに上述した実施の形態においては、サーボ光ビームＬＳの波長を６５６［ｎｍ］にするようにした場合について述べた。本発明はこれに限らず、サーボ光ビームＬＳの波長に制限はない。サーボ光ビームＬＳの波長は、適宜選択することが可能であり、例えば読出光ビームＬ２ｄと同一波長にしても良い。この場合、１つの光源から出射された光ビームを分岐し、サーボ光ビームＬＳ及び読出光ビームＬ２ｄとして使用することができる。
【０１６３】
さらに上述した実施の形態においては、光記録媒体１００を回転させながら対物レンズ１３をフォーカス方向及びトラッキング方向に変位させるようにした場合について述べた。本発明はこれに限らず、例えば光記録媒体１００をテーブル４に固定し、光ピックアップ７をＸ方向、Ｙ方向及びＺ方向に変位させることにより、記録層１０１内における任意の位置を目標位置として記録マークＲＭを形成し得るようにしても良い。
【０１６４】
さらに上述した実施の形態においては、記録層１０１が単層でなるようにした場合について述べた。本発明はこれに限らず、複数層によって構成されていても良い。また、記録層１０１単体で所望の強度が得られる場合等に、光記録媒体１００から当該基板１０３を省略しても良い。
【０１６５】
さらに上述した実施の形態においては、記録層１０１にマーク層Ｙが複数形成されるようにした場合について述べた。本発明はこれに限らず、マーク層Ｙは１層のみ形成されても良い。
【０１６６】
さらに上述した実施の形態においては、記録層としての記録層１０１と隣接層としての基板１０２とによって光記録媒体としての光記録媒体１００を構成する場合について述べたが、本発明はこれに限らず、その他種々の構成でなる記録層と隣接層とによって光記録媒体を構成するようにしても良い。
【０１６７】
さらに上述した実施の形態においては、記録層としての記録層１０１と基板としての基板１０２とによって光記録媒体としての光記録媒体１００を構成する場合について述べたが、本発明はこれに限らず、その他種々の構成でなる記録層と基板とによって光記録媒体を構成するようにしても良い。
【産業上の利用可能性】
【０１６８】
本発明は、例えば映像コンテンツや音声コンテンツ等のような大容量の情報を光記録媒体等の記録媒体に記録し又は再生する光記録再生装置等でも利用できる。
【符号の説明】
【０１６９】
５……光記録再生装置、６……制御部、７……光ピックアップ、１３……対物レンズ、１５……受光素子、１００……光記録媒体、１００ａ……未硬化光記録媒体、１０１……記録層、１０２、１０３……基板、１０５……凹凸界面、ｔ１、ｔ２、ｔ３……厚さ、ＬＳ……サーボ光ビーム、ＬＳｒ……サーボ反射情報光ビームＬ２ｃ……記録光ビームＬ２ｄ……読出光ビーム、Ｌ３……戻り光ビーム、Ｍ１……液状材料。
【図１】
2011014199.tif 000013
【図２】
2011014199.tif 000014
【図３】
2011014199.tif 000015
【図４】
2011014199.tif 000016
【図５】
2011014199.tif 000017
【図６】
2011014199.tif 000018
【図７】
2011014199.tif 000019